(57)【特許請求の範囲】
【請求項１】
携帯型無線通信装置の背面に装着される装着部材と、
前記装着部材に回転可能に軸支され、前記携帯型無線通信装置の背面に対して起伏され、前記携帯型無線通信装置の背面との間でベルトを挟持するベルト挟持部を有する可動部材と、
前記装着部材が前記携帯型無線通信装置の背面に装着された状態で、前記可動部材の前記ベルト挟持部を前記携帯型無線通信装置の背面側に付勢する弾性部材と、を備えたベルトクリップであって、
前記可動部材は、前記携帯型無線通信装置に接続されるケーブルを、前記可動部材の回転軸と略平行に保持するケーブル保持部をさらに有し、
前記ケーブル保持部は、前記可動部材の回転軸と前記ベルト挟持部の間の可動部材に形成され、
前記ケーブル保持部は、前記装着部材が前記携帯型無線通信装置の背面に装着された状態で、前記可動部材の回転軸と略平行な方向における前記可動部材の両端部近傍において前記携帯型無線通信装置の背面に略垂直な１組の壁に形成され、ケーブルの最大幅よりも小さい開口と、この開口に連通したケーブル保持穴を有していることを特徴とするベルトクリップ。
【請求項２】
請求項１に記載のベルトクリップが装着される携帯型無線通信装置と、該携帯型無線通信装置に接続され、少なくとも音声出力部を備えた被接続機器とで携帯型無線通信システムを構成し、
前記被接続機器は、前記音声出力部と前記携帯型無線通信装置とを接続するケーブル及びプラグを有し、
前記携帯型無線通信装置は、その背面の上端部近傍に形成され、前記装着部材が装着される装着部と、その上面から略垂直に突出するアンテナと、いずれかの側面に形成され、前記ケーブルの一端に設けられ、前記プラグの端子が前記側面に対して略垂直に接続されるジャックと、を備え、
前記ケーブルは、前記プラグから前記アンテナと略平行に引き出されている、ことを特徴とする携帯型無線通信装置システム。
【発明の詳細な説明】
【技術分野】
【０００１】
本発明は、携帯型無線通信装置をベルトに装着するためのベルトクリップに関する。
【背景技術】
【０００２】
携帯型無線通信装置は、片手で操作できるように小型軽量に設計されているが、両手を自由にできるように、オプション品又は付属品としてイヤホンマイクやヘッドセットなどが用意されている。図６は、携帯型無線通信装置１０にヘッドセット２０を装着した状態を示す。ヘッドセット２０は、スピーカー２１と、マイクロホン２２と、スピーカー２１及びマイクロホン２２を支えるハウジング２３と、ユーザーの頭部に装着されるアーム２４と、ハウジング２３から引き出されたケーブル２５と、ケーブルの一端に設けられ、携帯型無線通信装置１０に接続されるプラグ２６などで構成されている。図６に示す例では、プラグ２６は、ケーブル２５に引っ張り力が加えられたとしても、簡単に携帯型無線通信装置１０から外れないように、プラグ２６の端子（図示せず）の突出方向とケーブル２５の引き出し方向が直交するように構成されている。なお、安価なイヤホンやヘッドホンなどでは、コストを低減するため、プラグからの端子の突出方向とケーブルの引き出し方向が同じであり、その場合はケーブルに引っ張り力が加えられると、プラグが携帯型無線通信装置から外れてしまう虞がある。
【０００３】
このようなヘッドセット２０などの付属品を使用する場合、携帯型無線通信装置１０をユーザーのベルトなどに装着できるように、図７に示すようなベルトクリップ３０が用意されている。ベルトクリップ３０は、携帯型無線通信装置１０の背面１０Ｂに取り付けられる固定部３１と、固定部３１に軸支され、携帯型無線通信装置１０の背面１０Ｂに対して起伏する可動部３２と、固定部３１と可動部３２の間に設けられ、可動部３２を携帯型無線通信装置１０の背面１０Ｂ側に付勢するばね（図示せず）などで構成されている。図７に示す例では、固定部３１は、ねじ３３によって携帯型無線通信装置１０の背面１０Ｂに固定されている。また、ヘッドセット２０のケーブル２５は、様々な体格のユーザーに対応できるように、また、ユーザーの様々な動きに対応できるように、実際に必要な長さよりも長く設定されている。また、ヘッドセット２０のコストを低減するために、一般的には、ケーブル２５の長さ調節はできないようになっている。
【０００４】
携帯型無線通信装置１０がヘッドセット２０などの付属品を用いて使用される状況では、ユーザーは常時体を動かしていると推測される。そのような場合に、ヘッドセット２０から垂れ下がったケーブル２５が周囲にある器物などに引っ掛かったとすると、ユーザーの動きに合わせて過大な引っ張り力がケーブル２５に加わり、ケーブル２５が破損（断線）する虞がある。また、携帯型無線通信装置１０にプラグ２６が接続された状態で、携帯型無線通信装置１０のアンテナ１２がプラグ２６からのケーブルの引き出し方向と同じ方向に突出している場合、ケーブル２５がアンテナ１２に干渉して、携帯型無線通信装置１０の受信状態が悪化する可能性がある。
【０００５】
一方、携帯型オーディオ機器の分野では、イヤホンやヘッドホンのケーブルの揺れや垂れ下がりを防止するために、ケーブルをユーザーの衣服に固定するためのケーブルクリップが用意されている。特許文献１に記載されたケーブルクリップでは、先端のクリップ部が閉じる方向にばねで付勢された一対のクリップ片の一方に、ケーブルを保持するための、断面Ｊ状の保持部が形成されている。この特許文献１に記載されたケーブルクリップは、ケーブルの断面よりも小さいＪ状の保持部にケーブルを圧入し、樹脂の弾性によってケーブルを保持しているため、樹脂とケーブルの間の摩擦力よりも大きな引っ張り力をケーブルに加えることによって、ケーブルの保持位置を変更することができる。また、ケーブルは、ケーブルクリップを境にして２つの部分に分割され、それぞれの部分で垂れ下がるので、垂れ下がったケーブルが周囲にある器物などに引っ掛かる可能性が低減される。予期しない大きな引っ張り力がケーブルに加えられた場合は、ケーブルの保持位置が変わったり、プラグがオーディオ機器から外れたり、あるいは、ケーブルが破損したりする虞がある。
【０００６】
特許文献２に記載されたケーブルクリップでは、先端のクリップ部が閉じる方向にばねで付勢された一対のクリップ片の一方の後端（ユーザーによる操作側）近傍に、ケーブルの断面よりも大きな断面Ｊ状の保持部が形成され、他方のクリップ片の後端近傍には、保持部に対向し、ケーブルを保持部に押しつける突起が形成されている。ケーブルクリップの使用中においては、ケーブルは保持部と突起によって挟持されており、かなり大きな引っ張り力がケーブルに加えられたとしても、ケーブルの保持位置は変化しない。クリップ片の後端に力を加えクリップ部を開くと、それに伴って突起が保持部から離れ、ケーブルの保持位置を変更することができる。予期しない大きな引っ張り力がケーブルに加えられた場合は、ケーブルの保持力が大きいため、プラグがオーディオ機器から外れたり、あるいは、ケーブルが破損したりする可能性が高くなる。
【０００７】
特許文献３に記載されたケーブルクリップでは、コストを低減するため、樹脂の弾性を利用して、単一の部材でケーブルクリップを構成している。具体的には、断面が略水滴型の部材であって、水滴のとがった部分を開口部とし、樹脂の弾性によって開口部が常に閉じる方向に付勢されている。水滴の円弧状部分の内側、すなわち開口部と対向する部分には、断面が略Ｊ状の保持部が形成され、樹脂の弾性によってケーブルを保持している。ケーブルを保持するメカニズムは特許文献１のケーブルクリップと同様であるため、予期しない大きな引っ張り力がケーブルに加えられた場合は、ケーブルの保持位置が変わったり、プラグがオーディオ機器から外れたり、あるいは、ケーブルが破損したりする虞がある。
【先行技術文献】
【特許文献】
【０００８】
【特許文献１】特許第４７０７７２２号
【特許文献２】実開昭６０−１１４４９４号公報
【特許文献３】特許第３７９７８５５号
【発明の概要】
【発明が解決しようとする課題】
【０００９】
本発明は、ベルトクリップを使用して携帯型無線通信装置にイヤホンマイクやヘッドセットなどのオプション品又は付属品（被接続機器）を接続して使用する場合に、イヤホンマイクやヘッドセットのケーブルが携帯型無線通信装置のアンテナに干渉するのを防止すると共に、予期しない大きな引っ張り力がケーブルに加えられた場合でも、プラグが携帯型無線通信装置から外れたり、あるいは、ケーブルが破損したりする可能性を低減したベルトクリップを提供することを目的とする。
【課題を解決するための手段】
【００１０】
上記目的を達成するため、本発明に係るベルトクリップは、
携帯型無線通信装置の背面に装着される装着部材と、
前記装着部材に回転可能に軸支され、前記携帯型無線通信装置の背面に対して起伏され、前記携帯型無線通信装置の背面との間でベルトを挟持するベルト挟持部を有する可動部材と、
前記装着部材が前記携帯型無線通信装置の背面に装着された状態で、前記可動部材の前記ベルト挟持部を前記携帯型無線通信装置の背面側に付勢する弾性部材と、を備え、
前記可動部材は、前記携帯型無線通信装置に接続されるケーブルを、前記可動部材の回転軸と略平行に保持するケーブル保持部をさらに有し、
前記ケーブル保持部は、前記可動部材の回転軸と前記ベルト挟持部の間の可動部材に形成され、
前記ケーブル保持部は、前記装着部材が前記携帯型無線通信装置の背面に装着された状態で、前記可動部材の回転軸と略平行な方向における前記可動部材の両端部近傍において前記携帯型無線通信装置の背面に略垂直な１組の壁に形成され、ケーブルの最大幅よりも小さい開口と、この開口に連通したケーブル保持穴を有していることを特徴とする。
また、本発明は、上記のベルトクリップが装着される携帯型無線通信装置と、該携帯型無線通信装置に接続され、少なくとも音声出力部を備えた被接続機器とで携帯型無線通信装置システムを構成し、
前記被接続機器は、前記音声出力部と前記携帯型無線通信装置とを接続するケーブル及びプラグを有し、
前記携帯型無線通信装置は、その背面の上端部近傍に形成され、前記装着部材が装着される装着部と、その上面から略垂直に突出するアンテナと、いずれかの側面に形成され、前記ケーブルの一端に設けられ、前記プラグの端子が前記側面に対して略垂直に接続されるジャックと、を備え、
前記ケーブルは、前記プラグから前記アンテナと略平行に引き出されている、ことを特徴とする。
【発明の効果】
【００１４】
本発明のベルトクリップを携帯型無線通信装置に装着し、さらにイヤホンマイクやヘッドセットなどのオプション品又は付属品（被接続機器）を携帯型無線通信装置に接続して使用する場合、ケーブルのうちプラグの近傍部分が携帯型無線通信装置に装着されたベルトクリップによって保持されるので、予期しない引っ張り力がケーブルに加えられたとしても、ケーブルの保持位置はほとんど変わらず、プラグが携帯型無線通信装置から外れることはほとんどなく、特に、ケーブルがプラグの端子と直交する方向に引き出されている場合は、ほぼ皆無となる。また、ケーブルがベルトクリップの可動部材の回転軸に対して略平行、すなわちベルトの長手方向に保持されるので、ベルトに対する携帯型無線通信装置を適宜選択すれば、ケーブルの垂れ下がり量を少なくすることができ、垂れ下がったケーブルが周囲にある器物などに引っ掛かり、ケーブルが破損する可能性を大幅に低減することができる。さらに、ケーブルが携帯型無線通信装置に装着されたベルトクリップによって保持されるので、事実上、携帯型無線通信装置からのケーブルの引き出し方向が固定され、ケーブルがアンテナに巻き付いたりすることがほとんどなく、ケーブルとアンテナの干渉による受信状態の悪化を防止することができる。
【図面の簡単な説明】
【００１５】
【図１】本発明の一実施形態に係るベルトクリップ及び携帯型無線通信装置システムの構成を示す斜視図。
【図２】上記ベルトクリップ及び携帯型無線通信装置システムの構成を示す側面図。
【図３】上記ベルトクリップの内側の構成を示す斜視図。
【図４】本発明の他の実施形態に係るベルトクリップの構成を示す斜視図。
【図５】上記他の実施形態に係るベルトクリップの変形例の構成を示す斜視図。
【図６】携帯型無線通信装置にヘッドセットを接続した状態を示す斜視図。
【図７】従来のベルトクリップを携帯型無線通信装置に装着する状態を示す斜視図。
【発明を実施するための形態】
【００１６】
本発明の一実施形態に係るベルトクリップ及び携帯型無線通信装置システムについて、図面を参照しつつ説明する。はじめに、図１及び図６を参照して、携帯型無線通信装置１０の各面のうちユーザーによって操作される操作ボタン１３、運用周波数などが表示されるディスプレイ１４、スピーカー１５、マイクロホン１６などが設けられている面を前面１０Ａ、この前面１０Ａとは反対側の操作ボタンなどが設けられていない面を背面１０Ｂ、プラグ２６の端子が接続されるジャック１７（図７参照）などが設けられている面を側面１０Ｃ及び１０Ｄ、アンテナ１２が突出している面を上面１０Ｅと定義する。
【００１７】
図１は、本実施形態に係るベルトクリップ１を携帯型無線通信装置１０の背面１０Ｂに装着し、側面１０Ｃに設けられたジャック（図７の符号１７参照）にイヤホンマイクやヘッドセット２０などのオプション品又は付属品（被接続機器）のケーブル２５の一端に設けられたプラグ２６を接続した状態を示す。また、図２は、側面１０Ｃとは反対側の側面１０Ｄ側から見た状態を示す。さらに、図３は、ベルトクリップ１の内側（図１に示す外側とは反対側）の構成を示す。
【００１８】
ベルトクリップ１は、携帯型無線通信装置１０の背面１０Ｂに装着される装着部材２と、装着部材２に回転可能に軸支された可動部材３と、装着部材２と可動部材３の間に設けられた弾性部材（ばね）４を備えている。装着部材２が携帯型無線通信装置１０の背面１０Ｂに装着された状態で、可動部材３は、携帯型無線通信装置１０の上面１０Ｅ側から順に、ユーザーによって操作される操作部３Ａ、装着部材２に形成された円筒状突起２Ａが嵌合される軸受け部３Ｂ、ケーブル２５を保持するケーブル保持部３Ｃ、携帯型無線通信装置１０の背面１０Ｂとの間でベルトを挟持するベルト挟持部３Ｄを有している。すなわち、ケーブル保持部３Ｃは、後述する可動部材３の回転軸とベルト挟持部３Ｄの間に形成されている。弾性部材４は、装着部材２が携帯型無線通信装置１０の背面１０Ｂに装着された状態で、可動部材３のベルト挟持部３Ｄを携帯型無線通信装置１０の背面１０Ｂ側に付勢する。
【００１９】
装着部材２が携帯型無線通信装置１０の背面１０Ｂに装着された状態で、可動部材３は、携帯型無線通信装置１０の背面１０Ｂに対して起伏され、ユーザーが操作部３Ａを携帯型無線通信装置１０の背面１０Ｂ側に指で押しつけると、弾性部材４の付勢力に逆らって、装着部材２の円筒状突起２Ａと可動部材３の軸受け部３Ｂで構成される回転軸を中心として、可動部材３が携帯型無線通信装置１０の背面１０Ｂから起き上がり、ユーザーが操作部３Ａから指を離すと、弾性部材４の付勢力によって可動部材３が携帯型無線通信装置１０の背面１０Ｂ側に倒伏する。可動部材３が携帯型無線通信装置１０の背面１０Ｂから起き上がっている間に、ベルトを携帯型無線通信装置１０の背面１０Ｂとベルト挟持部３Ｄの間に挟み込むことができる。
【００２０】
可動部材３は、装着部材２が携帯型無線通信装置１０の背面１０Ｂに装着された状態で、可動部材３の回転軸と略平行な方向における可動部材３の両端部近傍に形成された携帯型無線通信装置１０の背面１０Ｂに略垂直な１組の壁３Ｅを有しており、軸受け部３Ｂ及びケーブル保持部３Ｃは、この１組の壁３Ｅに形成されている。また、ケーブル保持部３Ｃは、装着部材２が携帯型無線通信装置１０の背面１０Ｂに装着された状態で、携帯型無線通信装置１０の背面１０Ｂに対向する部分に、ケーブル２５の最大幅よりも小さい開口３Ｆと、開口３Ｆに連通し、ケーブル２５の幅方向の断面形状と略同一形状のケーブル保持穴３Ｇを有している。このケーブル保持穴３Ｇの寸法としては、例えば、ケーブル２５の幅方向の断面の各部の寸法よりも所定の公差分だけ大きい寸法としてもよいし、ケーブル２５の幅方向の断面の各部の寸法よりも所定の公差分だけ小さい寸法としてもよい。前者の場合、ケーブル２５がケーブル保持穴３Ｇ中をスムーズに移動することができるので、ケーブル２５の保持位置調整が容易になる。一方、後者の場合、絶縁樹脂などで形成されたケーブル２５の外被の弾性により、ケーブル２５がケーブル保持穴３Ｇに保持されるので、ケーブル２５の保持位置が不用意に変化することを防止することができる。ケーブル２５の幅方向の断面形状としては、円形のものであってもよいし、楕円形や小判型、あるいはその他の形状であってもよい。ケーブル保持部３Ｃの開口３Ｆの寸法はケーブル２５の最大幅よりも小さいので、例えばケーブル２５の幅方向の断面形状が円形の場合は、ケーブル２５の外被を弾性変形させて圧入すればよく、例えばケーブル２５の幅方向の断面形状が楕円形や小判型の場合は、ケーブル２５を軸方向に回転させて、幅寸法の小さい部分からケーブル保持部３Ｃの開口３Ｆに挿入し、ケーブル２５をケーブル保持部３Ｃに挿入した後、幅寸法の大きな部分が開口３Ｆと対向するように再度回転させればよい。
【００２１】
図１に示す例では、プラグ２６の端子（図示せず）の突出方向とケーブル２５の引き出し方向が直交するように、また、ケーブル２５の引き出し方向がアンテナ１２の突出方向と略平行になるように構成されている。一方、ケーブル保持部３Ｃはケーブル２５を可動部材３の回転軸と略平行に保持している。そのため、図１に示すように、ケーブル２５は、プラグ２６からアンテナ１２の突出方向と略平行に引き出された後、ループ２５Ａを描くようにして略１８０度向きを変え、さらに略９０度曲げられて、ケーブル保持部３Ｃに保持されている。そのため、事実上、携帯型無線通信装置１０からのケーブル２５の引き出し方向がアンテナ１２の突出方向に対して略直交する方向に固定され、ケーブル２５がアンテナ１２に巻き付いたりすることはなく、例えばケーブル２５を流れる電流によって発生される磁界により電波の受信が妨害されるなど、ケーブル２５とアンテナ１２の干渉による受信状態の悪化を防止することができる。また、ケーブル２５が周囲にある器物などに引っ掛かり、ケーブルに引っ張り力が加えられたとしても、プラグ２６が携帯型無線通信装置１０から外れることはなく、また、プラグ２６からのケーブル２５の引き出し部分２５Ｂに過大な引っ張り力が加えられることもなく、この引き出し部分２５Ｂでのケーブル２５の破損（断線）を防止することができる。また、ケーブル２５に加えられた引っ張り力は、ケーブル２５とケーブル保持部３Ｃとの間に作用する摩擦力などによって吸収され、ケーブル２５の芯線が破断される可能性も低減される。
【００２２】
図１〜３に示す例では、装着部材２は、携帯型無線通信装置１０の背面１０Ｂの上端部近傍に形成された装着部（図示せず）に嵌合により装着され、携帯型無線通信装置１０の背面１０Ｂ側に形成された溝など（図示せず）に係合される爪又は突起２Ｂが形成されたレバー２Ｃを有している。ベルトクリップ１を携帯型無線通信装置１０に装着するには、装着部材２を携帯型無線通信装置１０の背面１０Ｂの装着部に差し込むだけでよい。装着部材２の爪又は突起２Ｂは、装着部材２が携帯型無線通信装置１０の背面１０Ｂに装着された状態で、樹脂の弾性により携帯型無線通信装置１０の背面１０Ｂ側に付勢されているので、上記装着部からは容易には脱落しない。ベルトクリップ１を携帯型無線通信装置１０から取り外すには、装着部材２の爪又は突起２Ｂが携帯型無線通信装置１０の背面１０Ｂから離れる方向に力を加えてレバー２Ｃを変形させ、その状態で装着部材２及び／又は可動部材３をアンテナ１２の突出方向に引き上げればよい。なお、装着部材２の携帯型無線通信装置１０の背面１０Ｂへの装着方法は、このような構造に限定されず、図７に示すようなねじ止めであってもよい。
【００２３】
図４は、本発明の他の実施形態に係るベルトクリップの構成を示す。図４に示すベルトクリップ１では、ケーブル保持部３Ｃのケーブル保持穴３Ｇは、可動部材３の壁３Ｅではなく可動部材３の本体部３Ｘのうち可動部材３の回転軸とベルト挟持部３Ｄの間に形成され、ケーブル保持部３Ｃの開口３Ｆは、可動部材３の側面３Ｈ及び３Ｊに形成されている。そして、ケーブル２５は、例えば、可動部材３の一方の側面Ｈ側の開口３Ｆからケーブル保持穴３Ｇに挿入され、本体部３Ｘの外側又は内側を通って、他方の側面３Ｊの開口３Ｆからケーブル保持穴３Ｇに挿入される。図４に示す例では、ケーブル２５は、可動部材３の本体部３Ｘの内側において可動部材３の回転軸（２Ａ、３Ｂ）と略平行に保持されているが、ケーブル２５とベルトクリップ１の向きなどに応じて、可動部材３の本体部３Ｘの外において可動部材３の回転軸と略平行に保持されていてもよい。この実施形態では、可動部材３のケーブル保持部３Ｃにおいて複数回曲げられているため、ケーブル保持穴３Ｇの寸法を、例えば、ケーブル２５の幅方向の断面の各部の寸法よりも所定の公差分だけ大きい寸法としても、ケーブル２５の保持位置調整の容易性を保持しつつ、になると共に、ケーブル２５の保持位置が不用意に変化することを防止することができる。また、ケーブル２５の保持位置調整はやや困難になるが、ケーブル保持穴３Ｇの寸法を、例えば、ケーブル２５の幅方向の断面の各部の寸法よりも所定の公差分だけ小さい寸法としてもよい。また、ケーブル２５と可動部材３の回転軸（２Ａ、３Ｂ）とが鋭角をなして保持される位置にケーブル保持穴３Ｇを設けてもよい。
【００２４】
図５は、本発明の他の実施形態に係るベルトクリップの変形例の構成を示す。図５に示すベルトクリップ１では、可動部材３の本体部３Ｘのうち可動部材３の回転軸とベルト挟持部３Ｄの間に、３つ以上(図では４つ)のケーブル保持部３Ｃが形成されている。そして、ケーブル２５は、例えば、可動部材３の一方の側面Ｈ側の開口３Ｆからケーブル保持穴３Ｇに挿入され、本体部３Ｘの外側又は内側を通って、他方の側面３Ｊの開口３Ｆからケーブル保持穴３Ｇに挿入され、さらに、本体部３Ｘの内側又は外側を通って、もう１つのケーブル保持部３Ｃの開口３Ｆからケーブル保持穴３Ｇに挿入される。図５に示す例では、ケーブル２５は、可動部材３の本体部３Ｘの内側において可動部材３の回転軸（２Ａ、３Ｂ）と略平行に保持されていると共に、可動部材３の本体部３Ｘの外側において可動部材３の回転軸（２Ａ、３Ｂ）と略垂直にも保持されている。図５に示す変形例では、ベルトクリップ１の大きさが図１〜３に示すものと同じであるとすると、ベルト挟持部３Ｄの幅が狭くなり、挟持できるベルトの幅が狭くなり、ベルト挟持部３Ｄの幅を維持するとベルトクリップ１の大きさが図１〜３に示すものよりも大きくなるが、３つのケーブル保持部３Ｃによって保持されるケーブル２５の部分に適宜弛みを持たせることにより、ケーブル２５の垂れ下がり部分の長さ調節が可能となる。また、上記の場合と同様に、ケーブル２５とベルトクリップ１の向きなどに応じて、ケーブル２５を、可動部材３の本体部３Ｘの外側において可動部材３の回転軸（２Ａ、３Ｂ）と略平行に保持し、可動部材３の本体部３Ｘの内側において可動部材３の回転軸（２Ａ、３Ｂ）と略垂直に保持するようにしてもよい。さらに、上記の場合と同様に、ケーブル２５と可動部材３の回転軸（２Ａ、３Ｂ）とが鋭角をなして保持される位置にケーブル保持穴３Ｇを設けてもよい。
【００２５】
また、本発明に係る携帯型無線通信装置システムは、上記のベルトクリップ１と、ベルトクリップ１が装着される携帯型無線通信装置１０と、携帯型無線通信装置１０に接続され、少なくとも音声出力部（イヤホン又はスピーカー）を備えたイヤホンマイクやヘッドセット２０などの被接続機器などで構成され、ベルトクリップ１及びイヤホンマイクやヘッドセット２０などの被接続機器は、携帯型無線通信装置１０のオプション品又は付属品として提供される。
【００２６】
なお、本発明に係るベルトクリップは、
携帯型無線通信装置の背面に装着される装着部材と、
前記装着部材に回転可能に軸支され、前記携帯型無線通信装置の背面に対して起伏され、前記携帯型無線通信装置の背面との間でベルトを挟持するベルト挟持部を有する可動部材と、
前記装着部材が前記携帯型無線通信装置の背面に装着された状態で、前記可動部材の前記ベルト挟持部を前記携帯型無線通信装置の背面側に付勢する弾性部材とを備え、
前記可動部材は、前記携帯型無線通信装置に接続されるケーブルを、前記可動部材の回転軸と略平行に保持するケーブル保持部をさらに有していればよい。
【００２７】
前記ケーブル保持部は、前記可動部材の回転軸と前記ベルト挟持部の間に形成されているように構成してもよい。
【００２８】
前記ケーブル保持部は、前記装着部材が前記携帯型無線通信装置の背面に装着された状態で、前記可動部材の回転軸と略平行な方向における前記可動部材の両端部近傍において前記携帯型無線通信装置の背面に略垂直な壁に形成されているように構成してもよい。
【００２９】
少なくとも１組の前記ケーブル保持部が、前記可動部材の回転軸と略平行に形成されているように構成してもよい。
【００３０】
前記ケーブル保持部は、前記装着部材が前記携帯型無線通信装置の背面に装着された状態で、前記携帯型無線通信装置の背面に対向する部分に形成され、前記ケーブルの最大幅よりも小さい開口と、前記開口に連通し、前記ケーブルの幅方向の断面形状と略同一形状であって、前記ケーブルの幅方向の断面の各部の寸法よりも所定の公差分だけ大きい寸法を有するケーブル保持穴を有するように構成してもよい。
【００３１】
または、前記ケーブル保持部は、前記装着部材が前記携帯型無線通信装置の背面に装着された状態で、前記携帯型無線通信装置の背面に対向する部分に、前記ケーブルの最大幅よりも小さい開口と、前記開口に連通し、前記ケーブルの幅方向の断面形状と略同一形状であって、前記ケーブルの幅方向の断面の各部の寸法よりも所定の公差分だけ小さい寸法を有するケーブル保持穴を有するように構成してもよい。
【００３２】
また、上記いずれかのベルトクリップが装着される携帯型無線通信装置と、該携帯型無線通信装置に接続され、少なくとも音声出力部を備えた被接続機器で携帯型無線通信装置システムを構成し、
前記被接続機器は、前記音声出力部と前記携帯型無線通信装置とを接続するケーブル及びプラグを有し、
前記携帯型無線通信装置は、その背面の上端部近傍に形成され、前記装着部材が装着される装着部と、その上面から略垂直に突出するアンテナと、いずれかの側面に形成され、前記ケーブルの一端に設けられ、プラグの端子が前記側面に対して略垂直に接続されるジャックとを備え、
前記ケーブルは前記プラグから、前記アンテナと略平行に引き出されているように構成してもよい。
【符号の説明】
【００３３】
１  ベルトクリップ
２  装着部材
２Ａ  円筒状突起（回転軸）
３  可動部材
３Ａ  操作部
３Ｂ  軸受け部（回転軸）
３Ｃ  ケーブル保持部
３Ｄ  ベルト挟持部
３Ｅ  壁
３Ｆ  開口
３Ｇ  ケーブル保持穴
３Ｈ、３Ｊ  側面
３Ｘ  本体部
４  弾性部材
１０  携帯型無線通信装置
１０Ａ  前面
１０Ｂ  背面
１０Ｃ、１０Ｄ  側面
１０Ｅ  上面
１２  アンテナ
１７  ジャック
２０  ヘッドセット
２５  ケーブル
２６  プラグ
【図１】
0006802475.tif 000002
【図２】
0006802475.tif 000003
【図３】
0006802475.tif 000004
【図４】
0006802475.tif 000005
【図５】
0006802475.tif 000006
【図６】
0006802475.tif 000007
【図７】
0006802475.tif 000008